(57)【要約】      （修正有）【課題】ドリンクカップ袋を提供する。【解決手段】袋体１０と複数の第１の接着部１５と複数の第２の接着部１７を含み、袋体は長尺状シート１００を重なり合うシートユニット１０１に二つ折りして接着して構成され、開口を備え、開口には周縁１２があり、袋体の対向する両シートユニットにおいて上縁に近接する箇所でそれぞれ使用者が把持する貫通穴１４が貫通され、また、第１の接着部は袋体の開口周縁から下へ延在するとともに袋体内の両側辺に間隔を空けて設置され、第２の接着部は袋体の底部から開口方向へ第１の接着部まで延在することで、余分な空間でドリンクカップの傾倒が発生することなくドリンクカップが強固に袋体内に入るように、袋内の空間をドリンクカップの外型に合うように構成することができる他、第１の接着部に横方向の接着設計が採用されるので、袋体の接着面積が増大し、袋体の構造強度が向上になる。【選択図】図１
0003219111.tif 000002
【実用新案登録請求の範囲】
【請求項１】
長尺状シートを二つの重なり合うシートユニットに二つ折りして接着して構成され、内部空間及び前記内部空間と連通する開口を備え、前記開口には周縁があり、前記袋体の対向する両前記シートユニットにおいて上縁に近接する箇所にはそれぞれ貫通穴が貫通されている袋体と、
両前記シートユニットの接着位置に位置し、前記袋体の前記開口の前記周縁から底部に向かって延在するとともに二つの重なり合う前記シートユニットの両側辺に間隔を空けて形成され、前記シートユニットの両側辺の間に形成される前記内部空間において、横方向に延在して接着される複数の第１の接着部と、
両前記シートユニットの接着位置に位置し、前記袋体の底部から前記開口方向に向かって前記複数の第１の接着部まで延在するとともに二つの重なり合う前記シートユニットの両側辺に間隔を空けて設置されている複数の第２の接着部とを含むドリンクカップ袋。
【請求項２】
前記複数の第２の接着部のそれぞれは横方向に延在して接着される請求項１に記載のドリンクカップ袋。
【請求項３】
前記複数の第２の接着部のそれぞれは縦方向に延在して接着される請求項１に記載のドリンクカップ袋。
【請求項４】
前記複数の第１の接着部のそれぞれの長さ及び前記複数の第２の接着部のそれぞれの長さは前記袋体の底部に向かって次第に長くなる請求項１または２に記載のドリンクカップ袋。
【請求項５】
前記複数の第１の接着部のそれぞれの長さは前記袋体の底部に向かって次第に長くなり、前記複数の第２の接着部のそれぞれの長さは前記袋体の底部に向かって次第に短くなる請求項１または２に記載のドリンクカップ袋。
【請求項６】
二つの重なり合う前記シートユニットに設けられるとともに前記袋体の両側辺に対して中間に近接する第３の接着部をさらに含む請求項１〜３の何れか１項に記載のドリンクカップ袋。
【請求項７】
前記第３の接着部は垂直で且つ間隔を空けて設置される二つの接着点である請求項６に記載のドリンクカップ袋。
【請求項８】
二つの重なり合う前記シートユニットの底部に形成され、均された底面を選択的に形成する折り部をさらに含む請求項７に記載のドリンクカップ袋。
【請求項９】
二つの重なり合う前記シートユニットの底部に形成され、均された底面を選択的に形成し、且つ前記複数の第２の接着部位が存在する折り部をさらに含む請求項１〜３の何れか１項に記載のドリンクカップ袋。
【請求項１０】
前記折り部は前記シートユニット中央に位置する中間折り目線と両側折り目線からなり、前記両側折り目線が前記中間折り目線の両側に位置し、折った後、前記両側折り目線がそれぞれ前記袋体の下縁に位置し、前記中間折り目線が内へ凹んで両前記シートユニットの間に位置する請求項９に記載のドリンクカップ袋。
【考案の詳細な説明】
【技術分野】
【０００１】
本考案は袋体に関して、特にドリンクカップを入れる袋に関する。
【背景技術】
【０００２】
従来の技術にかかるドリンクカップ袋の形式は、上方に開口があり、かつ内部に物品置き用空間が形成され、その開口の周縁がカットされて使用者が把持する取っ手を形成し、また、ドリンクカップ袋の底部が直接対向接着の方式で接合され、側面視でのドリンクカップ袋の外観がＶ字形の形状をなすことが多い。
【０００３】
しかし、ドリンクカップがドリンクカップ袋に入った時、従来の技術のドリンクカップ袋の底部には強固な平面がなく、前述のV字形の袋体の底部のように接着された線状だけがある上に、ドリンクカップ袋の内部空間についてドリンクカップの外型に対して特別な設計がないので、ドリンクカップがドリンクカップ袋に入った後、カップの底部はドリンクカップ袋に完全に当接できないほか、ドリンクカップの周囲に、余分な空間も発生し、持ち歩く過程中に、揺れがちでドリンクカップの傾倒が発生して内部の液体が流出するので、ドリンクカップに相対的に強固な支持を与えるように井字形のカップ保持プレートをドリンクカップ袋の底部に置く店舗があるが、使用上に、その自身の重量と体積が増大する他、店舗のコストの増加ももたらし、また、従来のドリンクカップ袋の場合、両側辺はそれぞれ１本の接着線で圧着され、接着面積が小さくて構造強度が弱く、使用中少し引っ張られると、接着箇所まで壊れることで、ドリンクカップ袋が破損して使用できなくなりがちである。
【考案の概要】
【考案が解決しようとする課題】
【０００４】
従って、従来の技術のドリンクカップ袋について、改善が望まれている。
【課題を解決するための手段】
【０００５】
従来の技術の欠点及び不足に鑑みて、本考案は袋体の両側辺に複数の横方向へ延在して接着される第１の接着部と複数の第２の接着部とが設置されることで、ドリンクカップがより強固に袋体内に入ることができるし、袋体の接着箇所の構造強度が高くなることもできるドリンクカップ袋を提供する。
【０００６】
上記の発明の目的を達成するために、本考案に採用された技術的手段はドリンクカップ袋を設計するためであり、このドリンクカップ袋は長尺状シートを二つの重なり合うシートユニットに二つ折りして接着して構成され、内部空間及び前記内部空間と連通する開口を備え、前記開口には周縁があり、前記袋体の対向する両前記シートユニットにおいて上縁に近接する箇所にはそれぞれ貫通穴が貫通されている袋体と、
両前記シートユニットの接着位置に位置し、前記袋体の前記開口の前記周縁から底部に向かって延在するとともに二つの重なり合う前記シートユニットの両側辺に間隔を空けて形成され、前記シートユニットの両側辺の間に形成される前記内部空間において、横方向に延在して接着される複数の第１の接着部と、
両前記シートユニットの接着位置に位置し、前記袋体の底部から前記開口方向に向かって前記複数の第１の接着部まで延在するとともに二つの重なり合う前記シートユニットの両側辺に間隔を空けて設置されている複数の第２の接着部とを含む。
【０００７】
本考案の利点について、ドリンクカップ袋の袋体の両側辺に複数の第１の接着部及び複数の第２の接着部が設置され、複数の第１の接着部は横方向に接着され、且つ袋体の開口周縁から袋体の底部へ延在するとともに間隔を空けて設置され、複数の第２の接着部は袋体の底部から開口方向へ複数の第１の接着部まで延在することで、袋内の空間をドリンクカップの外型に整合するように構成してドリンクカップが傾倒することなく強固に袋体内に入ることができるほか、横方向の接着設計なので、袋体の接着面積が増大し、袋体の構造強度が向上になる。
【０００８】
さらには、前記ドリンクカップ袋において、前記複数の第２の接着部のそれぞれは横方向に延在して接着される。
【０００９】
さらには、前記ドリンクカップ袋において、前記複数の第２の接着部のそれぞれは縦方向に延在して接着される。
【００１０】
さらには、前記複数の第１の接着部のそれぞれの長さ及び前記複数の第２の接着部のそれぞれの長さは前記袋体の底部に向かって次第に長くなる。
【００１１】
さらには、前記複数の第１の接着部のそれぞれの長さは前記袋体の底部に向かって次第に長くなり、前記複数の第２の接着部のそれぞれの長さは前記袋体の底部に向かって次第に短くなる。
【００１２】
さらには、前記ドリンクカップ袋において、二つの重なり合う前記シートユニットに設けられるとともに前記袋体の両側辺に対して中間に近接する第３の接着部をさらに含む。
【００１３】
さらには、前記第３の接着部は垂直で且つ間隔を空けて設置される二つの接着点である。
【００１４】
さらには、前記ドリンクカップ袋において、二つの重なり合う前記シートユニットの底部に形成され、均された底面を選択的に形成する折り部をさらに含む。
【００１５】
さらには、前記ドリンクカップ袋において、二つの重なり合う前記シートユニットの底部に形成され、均された底面を選択的に形成し、且つ前記複数の第２の接着部位が存在する折り部をさらに含む。
【００１６】
さらには、前記ドリンクカップ袋において、前記折り部は前記シートユニット中央に位置する中間折り目線と両側折り目線からなり、前記両側折り目線が前記中間折り目線の両側に位置し、折った後、前記両側折り目線がそれぞれ前記袋体の下縁に位置し、前記中間折り目線が内へ凹んで両前記シートユニットの間に位置する。
【図面の簡単な説明】
【００１７】
【図１】図１は本考案の斜視外観図。
【図２】図２は本考案の正面図。
【図３】図３は本考案の展開時の概略図。
【図４】図４は本考案の使用概略図。
【図５】図５は本考案の部分断面図。
【図６】図６は本考案のもう一つの実施例の斜視外観図。
【図７】図７は本考案のもう一つの実施例の正面図。
【図８】図８は本考案のもう一つの実施例の使用概略図。
【図９】図９は本考案のもう一つの実施例の部分断面図。
【図１０】図１０は本考案の他の実施例の正面図。
【図１１】図１１は本考案の他の実施例の正面図。
【図１２】図１２は本考案の他の実施例の正面図。
【考案を実施するための形態】
【００１８】
以下、図面及び本考案の好適な実施例を参照しながら、本考案が予め決められた発明の目的を達成するために講じた技術的手段をさらに詳述する。
【００１９】
図１に示すように、本考案のドリンクカップ袋は、袋体１０と、折り部１３と、複数の第１の接着部１５とを含む。
【００２０】
図１〜図４に示すように、袋体１０は長尺状シート１００を二つの重なり合うシートユニット１０１に二つ折りして接着して構成されるものであり、折り部１３は二つの重なり合うシートユニット１０１の底部に形成され、複数の第１の接着部１５は二つの重なり合うシートユニット１０１の両側辺に形成され、当該袋体１０は内部空間及び内部空間と連通する開口１１を備え、開口１１は周縁１２を備え、当該袋体１０の対向する両側シートユニット１０１において上縁に近接する箇所にそれぞれ貫通穴１４が貫通されている。図３に示すように、本実施例において、本考案は不織布の材質の長尺状シート１００で作成され、両側辺に近接する箇所で、それぞれ縦長形の貫通穴１４を貫通し、そして二つ折りした後、熱圧着、接着を経て袋体１０を形成し、使用者が把持できるように、二つの縦長形の貫通穴１４を一致させるが、これに限られず、その他の材質例えばプラスチックで構成される袋体１０でもよい。その他の実施例において、図１０に示すように、貫通穴１４では、カット方式で遮蔽シート１０２を残してもよく、袋体１０を均す場合、遮蔽シート１０２は貫通穴１４を覆うことが可能であり、袋体１０を使用する場合、指が遮蔽シート１０２を捲り、貫通穴１４を挿通し、袋体１０を持ち上げることができる。
【００２１】
図１、図３及び図４に示すように、折り部１３は袋体１０の底部に位置し、かつ均された底面１６を選択的に形成可能であり、本実施例において、折り部１３は長尺状シート１００を折ってなるものであり、具体的に、折り部１３は長尺状シート１００の中間に近い箇所で連続的に折ることで形成された四層の構造であり、図３に示すように、当該折り部１３は長尺状シート１００の中央にある中間折り目線１３１及び両側折り目線１３２、１３３からなり、当該両側折り目線１３２、１３３は中間折り目線１３１の両側に位置し、折った後、当該両側折り目線１３２、１３３はそれぞれ袋体１０の下縁に位置し、中間折り目線１３１は内へ凹んで両シートユニット１０１の間に位置する。袋体１０の未使用際に、折り部１３の袋体１０は積層状をなし、側面視で略Ｗ字形になり、袋体１０を使用する際に、折り部１３の袋体１０は拡開され、平面である底面１６を形成し、側面視で略Ｕ字形をなすが、これに限られず、その構造は底面１６を形成する効果を達成すればよい。
【００２２】
図２、図４及び図５に示すように、複数の第１の接着部１５は両シートユニット１０１の接着位置に位置し、開口１１の周縁１２から袋体１０の底部へ延在し、袋体１０内部空間の両側辺に間隔を空けて設置され、第１の接着部１５は横方向に延在して接着され、また、当該両シートユニット１０１が対向して接着される。また、本実施例において、複数の第１の接着部１５の形状は横方向の直線状であり、第１の接着部１５のそれぞれは等間隔で袋体１０開口１１の周縁１２から袋体１０底部に向かって間隔を空けて設置され、かつそれぞれの第１の接着部１５の長さが上から下へと次第に長くなり、具体的に、正面視で袋体１０を見る場合、複数の第１の接着部１５は複数の横線が等間隔で配列され、その構成した形状が全体として略直角三角形(図２に示すように)であるが、これに限られず，その他の実施例において、図１０に示すように、その第１の接着部１５Ｂの接着形状は連続的な点状またはその他のパターンの接着形状でもよく、接着の長さも上から下まで等しい仕様を採用してもよく、ドリンクカップにフィットして固定させる目的を達成できればよい。
【００２３】
複数の第２の接着部１７は両シートユニット１０１の接着位置に位置し、袋体１０の底部から開口１１方向へ複数の第１の接着部１５まで延在するとともに二つの重なり合うシートユニット１０１の両側辺に間隔を空けて設置される。本実施例において、複数の第２の接着部１７は横方向に延在して接着され、第２の接着部１７が折り部１３を接着した場合、前述両シートユニット１０１の連続的に折ることで形成された四層の構造が同時に接着され、均されない。図１０に示すように、その他の実施例において、第２の接着部１７Ｂの折り部１３Ｂにおける接着方式も使用者のニーズにより任意に変更でき、例えば、上から下まで長さを次第に短縮していくまたは等しくする接着部方式を採用し、または接着パターンが折り部１３の上方の第１の接着部１５Ｂと異なる。図１１に示すように、その他の実施例において、複数の第２の接着部１７Ｂは縦方向に延在して接着され、具体的に、袋体１０のそれぞれの側辺に横方向に間隔を空けて設置された２本の縦方向の直線であるが、これに限られず、第２の接着部１７の形状及び数量は使用者のニーズにより、任意に変更できる。
【００２４】
図６〜図９に示すように、その他の実施例において、同時に二つのドリンクカップを入れる場合、袋体１０Ａは前述のように備える開口１１Ａ、周縁１２Ａ、折り部１３Ａ、貫通穴１４Ａ及び第１の接着部１５Ａ等の技術的特徴以外、袋体１０Ａの内部空間において両側辺に対して中間に近接する箇所に設置され、且つ袋体１０Ａの両シートユニット１０１Ａを対向接着する第３の接着部２０Ａをさらに含み、具体的に、二つのドリンクカップを同時に入れるケースに適用する際に、袋体１０Ａそのものの幅を長くすることができるほか、さらに第３の接着部２０Ａを設置してもよく、且つ、第３の接着部２０Ａは本実施例において垂直に間隔を空けて設置された二つの接着点であり、袋体１０Ａの内部空間を左右の二つの区域に区分するとともに、左右の二つのドリンクカップの隣り合う内側部分に支持を与えることで、左右両側にはそれぞれドリンクカップを入れても、揺れが発生しやすくない。しかし、これに限られず、図１２に示すように、第３の接着部２０Ａの接着方式は本実施例において、垂直に間隔を空けて設置された二つの接着点であるほか、さらに二つの接着点の下方に両接着斜線を設置してもよいと、空間区分及び支持の効果を達成できれば使用者のニーズにより任意に変更することができる。
【００２５】
本考案を使用する際に、図４及び図５に示すように、使用者はまず折り部１３が均されて底面１６を備える状態になるまで袋体１０を拡開し、この際に、ドリンクカップを袋内に入れ、折り部１３で均された底面１６に強固に立て、そして貫通穴１４によりドリンク袋を持ち上げることで強固に携帯する目的を達成する。使用終了してドリンクカップを取り出した後、使用者は均された折り部１３を、元の中間折り目線１３１及び両側折り目線１３２、１３３により積層状に折り戻し、袋体１０を元の状態に平らに押さえる。
【００２６】
上記において、袋体１０の両側辺に複数の横方向の直線状の第１の接着部１５が設けられ、接着形状により形成された空間はドリンクカップの外縁形状に整合することで、ドリンクカップがより強固に袋体１０内に入ることができる以外、接着面積の増加により、袋体１０の接着箇所の構造強度が増大し、外力で破損されやすくない。
【００２７】
上記において、折り部１３が設けられているので、折り部１３が均された際に形成された底面１６はドリンクカップに強固な支持を与えることができ、ドリンクカップが袋体１０内で揺れない。
【００２８】
上記において、図８に示すように、同時に二つのドリンクカップを入れる場合、袋体１０Ａに第３の接着部２０Ａをさらに設けるので、二つのドリンクカップの隣り合う内側面に十分な支持を与えることができ、二つのドリンクカップは袋体１０Ａ内で揺動及び傾倒が発生しやすくない。また、使用者により多くの運用空間を提供するように、第３の接着部２０Ａを備えるドリンクカップ袋に１本のドリンクカップのみを入れ、他方の空間にはストロー等その他の物品を入れてもよい。
【００２９】
上記は本考案の好適な実施例だけであり、本考案に対するいかなる形式上の制限するわけではない。本考案は好適な実施例で以上のように掲示されているが、限定されるわけではない。いかなる当業者は本考案の技術案を逸脱しない範囲内に、上記に掲示された技術内容に基づき僅かな変更または修飾をして、同等変化された同効果の実施例とすることができるが、本考案の技術案の内容を逸脱しない限り、本考案の技術に基づき、実質上上記実施例に対して行ったいかなる簡単な修正、同等な変化及び修飾はいずれも本考案の技術案の範囲内に属する。
【符号の説明】
【００３０】
１０  袋体                              
１００  長尺状シート
１０１  シートユニット
１０２  遮蔽シート
１１  開口                              
１２  周縁                              
１３  折り部                            
１３１  中間折り目線                    
１３２、１３３  側折り目線              
１４  貫通穴                            
１５  第１の接着部                      
１６  底面                              
１７  第２の接着部
１０Ａ  袋体                            
１０１Ａ  シートユニット
１１Ａ  開口                            
１２Ａ  周縁                            
１３Ａ  折り部                          
１４Ａ  貫通穴                          
１５Ａ  第１の接着部                    
１６Ａ  底面                            
１７Ａ  第２の接着部                    
２０Ａ  第３の接着部
１５Ｂ  第１の接着部                    
１７Ｂ  第２の接着部
【図１】
0003219111.tif 000003
【図２】
0003219111.tif 000004
【図３】
0003219111.tif 000005
【図４】
0003219111.tif 000006
【図５】
0003219111.tif 000007
【図６】
0003219111.tif 000008
【図７】
0003219111.tif 000009
【図８】
0003219111.tif 000010
【図９】
0003219111.tif 000011
【図１０】
0003219111.tif 000012
【図１１】
0003219111.tif 000013
【図１２】
0003219111.tif 000014